【手続補正書】
【提出日】平成29年2月13日(2017.2.13)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
第１のピクチャの第１のピクチャオーダーカウント（ＰＯＣ）値の少なくとも一部がゼロの値にリセットされるべきであることをシンタックス要素の値が示すかどうかを決定することと、
前記第１のＰＯＣ値の前記一部がゼロの前記値にリセットされるべきであることを前記シンタックス要素の前記値が示すとき、
リセットされた第１のＰＯＣ値の前記一部がゼロに等しくなるように、前記第１のＰＯＣ値の少なくとも前記一部をリセットすることと、
第２のピクチャの第２のＰＯＣ値を決定すること、ここにおいて、前記第１のピクチャおよび前記第２のピクチャが共通のビデオコーディングレイヤおよび共通のコード化ビデオシーケンスにある、と、
前記第１のＰＯＣ値と前記第２のＰＯＣ値との間の第１の差を決定することと、
デクリメントされた第２のＰＯＣ値と前記リセットされた第１のＰＯＣ値との間の第２の差が前記第１の差に等しいように前記第２のＰＯＣ値をデクリメントすることと、
前記リセットされた第１のＰＯＣ値および前記デクリメントされた第２のＰＯＣ値を使用してビデオデータを復号することと
を備える方法。
【請求項２】
前記シンタックス要素の前記値は、前記第１のＰＯＣ値の前記一部を含むすべてのビットがゼロの前記値にリセットされるべきであるかどうかを示し、前記方法は、前記第１のＰＯＣ値のすべてのビットがゼロの前記値にリセットされるべきであることを前記シンタックス要素の前記値が示すとき、リセットされた第１のＰＯＣ値のすべてのビットがゼロに等しくなるように前記第１のＰＯＣ値をリセットすることをさらに備える、
請求項１に記載の方法。
【請求項３】
前記第１のピクチャを第１のビデオコーディングレイヤに含み、第３のピクチャを第２のビデオコーディングレイヤに含むアクセスユニットを受信することをさらに備え、前記第１のビデオコーディングレイヤは、前記共通のビデオコーディングレイヤを備え、前記第２のビデオコーディングレイヤは、前記第１のビデオコーディングレイヤとは異なり、前記第１のＰＯＣ値をリセットする前には、前記第１のピクチャの前記第１のＰＯＣ値は、前記第３のピクチャの第３のＰＯＣ値とは異なる、
請求項１に記載の方法。
【請求項４】
前記第１のピクチャの前記第１のＰＯＣ値をリセットすることは、前記リセット後、前記第１のピクチャの前記リセットされた第１のＰＯＣ値は、前記第３のピクチャの前記第３のＰＯＣ値に等しくなるように、前記第１のピクチャの前記第１のＰＯＣ値をリセットすることを備える、
請求項３に記載の方法。
【請求項５】
前記第３のピクチャは、NoRaslOutputFlagシンタックス要素が１に等しいイントラランダムアクセスポイント（ＩＲＡＰ）ピクチャを備え、前記第１のピクチャが非ＩＲＡＰピクチャを備える、
請求項３に記載の方法。
【請求項６】
前記ＩＲＡＰピクチャは、瞬時デコーダリフレッシュ（ＩＤＲ）ピクチャ、クリーンランダムアクセス（ＣＲＡ）ピクチャ、またはリンク切断アクセス（ＢＬＡ）ピクチャのうちの１つを備える、
請求項５に記載の方法。
【請求項７】
前記アクセスユニットは、前記第１のビデオコーディングレイヤおよび前記第２のビデオコーディングレイヤとは異なる第３のビデオコーディングレイヤにおける第４のピクチャをさらに含み、前記リセットされた第１のＰＯＣ値を使用してビデオデータを復号することが、ブロックが前記リセットされた第１のＰＯＣ値の参照を含むとき、前記第１のピクチャに対するレイヤ間予測を使用して前記第４のピクチャの前記ブロックを復号することを備える、
請求項３に記載の方法。
【請求項８】
前記第１のＰＯＣ値の前記一部がゼロの前記値にリセットされるべきであることを前記シンタックス要素が示すとき、
前記第１のピクチャを有する前記共通のビデオコーディングレイヤにおける複数の他のピクチャのＰＯＣ値を決定すること、ここにおいて、前記複数の他のピクチャは、前記第１のピクチャおよび前記第２のピクチャ以外のピクチャを含む、と、
前記第１のＰＯＣ値と前記他のピクチャの前記ＰＯＣ値との間の差を決定することと、
デクリメントされたＰＯＣ値と前記リセットされた第１のＰＯＣ値との間のそれぞれの差が前記第１のＰＯＣ値と前記他のピクチャの前記ＰＯＣ値との間の前記それぞれの決定された差に等しくなるように、前記他のピクチャの前記ＰＯＣ値をデクリメントすることと
をさらに備える、請求項１に記載の方法。
【請求項９】
参照ピクチャセットのデータは、前記他のピクチャが短期参照ピクチャであるか長期参照ピクチャであるかを示し、前記ＰＯＣ値をデクリメントすることは、
前記短期参照ピクチャの前記ＰＯＣ値をデクリメントすることと、
前記長期参照ピクチャの前記ＰＯＣ値をデクリメントすることと
を備える、請求項８に記載の方法。
【請求項１０】
前記シンタックス要素は、ＰＯＣリセットフラグを備える、
請求項１に記載の方法。
【請求項１１】
前記シンタックス要素を含むスライスヘッダを復号することをさらに備える、
請求項１に記載の方法。
【請求項１２】
前記一部は、前記第１のＰＯＣ値の最上位ビット（ＭＳＢ）を備える、
請求項１に記載の方法。
【請求項１３】
ビデオデータを符号化する方法であって、
第１のピクチャの第１のピクチャオーダーカウント（ＰＯＣ）値の少なくとも一部をゼロの値にリセットすべきかどうかを決定することと、
前記第１のＰＯＣ値の前記少なくとも一部をリセットすることを決定することに応答して、
リセットされた第１のＰＯＣ値の前記一部がゼロに等しくなるように、前記第１のＰＯＣ値の少なくとも前記一部をリセットすることと、
前記第１のＰＯＣ値の少なくとも前記一部がゼロの前記値にリセットされるべきことを示すシンタックス要素の値を符号化することと、
第２のピクチャの第２のＰＯＣ値を決定すること、ここにおいて、前記第１のピクチャおよび前記第２のピクチャが共通のビデオコーディングレイヤおよび共通のコード化ビデオシーケンスにある、と、
前記第１のＰＯＣ値と前記第２のＰＯＣ値との間の第１の差を決定することと、
デクリメントされた第２のＰＯＣ値と前記リセットされた第１のＰＯＣ値との間の第２の差が前記第１の差に等しいように前記第２のＰＯＣ値をデクリメントすることと、
前記リセットされた第１のＰＯＣ値および前記デクリメントされた第２のＰＯＣ値を使用してビデオデータを符号化することと
を備える方法。
【請求項１４】
前記シンタックス要素の前記値は、前記第１のＰＯＣ値の前記一部を含むすべてのビットがゼロの前記値にリセットされるべきであるかどうかを示し、前記方法は、前記第１のＰＯＣ値のすべてのビットがゼロの前記値にリセットされるべきであることを前記シンタックス要素の前記値が示すとき、リセットされた第１のＰＯＣ値のすべてのビットがゼロに等しくなるように前記第１のＰＯＣ値をリセットすることをさらに備える、
請求項１３に記載の方法。
【請求項１５】
前記第１のピクチャを第１のビデオコーディングレイヤに含み、第３のピクチャを第２のビデオコーディングレイヤに含むアクセスユニットを形成することをさらに備え、前記第１のビデオコーディングレイヤは、前記共通のビデオコーディングレイヤを備え、前記第２のビデオコーディングレイヤは、前記第１のビデオコーディングレイヤとは異なり、前記ＰＯＣ値をリセットする前には、前記第１のピクチャの前記第１のＰＯＣ値は、前記第３のピクチャの第３のＰＯＣ値とは異なる、
請求項１３に記載の方法。
【請求項１６】
前記第３のピクチャは、NoRaslOutputFlagシンタックス要素が１に等しいイントラランダムアクセスポイント（ＩＲＡＰ）ピクチャを備え、前記第１のピクチャが非ＩＲＡＰピクチャを備えるとき、リセットすべきかどうかを決定することは、前記第１のＰＯＣ値をリセットすることを決定することを備える、
請求項１５に記載の方法。
【請求項１７】
前記アクセスユニットを形成することは、前記第１のビデオコーディングレイヤおよび前記第２のビデオコーディングレイヤとは異なる第３のビデオコーディングレイヤにおける第４のピクチャを含むように前記アクセスユニットを形成することをさらに備え、前記リセットされた第１のＰＯＣ値を使用してビデオデータを符号化することは、
前記第１のピクチャに対してレイヤ間予測を使用して前記第４のピクチャのブロックを符号化することと、
前記リセットされた第１のＰＯＣ値を参照するために、前記ブロックのシンタックス要素を符号化することと
を備える、請求項１５に記載の方法。
【請求項１８】
ビデオデータをコード化するためのデバイスであって、
ビデオデータを記憶するように構成されたメモリと、
第１のピクチャの第１のピクチャオーダーカウント（ＰＯＣ）値の少なくとも一部がゼロの値にリセットされるべきであるかどうかを示すシンタックス要素の値をコード化することと、
前記第１のＰＯＣ値の前記一部がゼロの前記値にリセットされるべきであることを前記シンタックス要素の前記値が示すとき、
リセットされた第１のＰＯＣ値の前記一部がゼロに等しくなるように、前記第１のＰＯＣ値の少なくとも前記一部をリセットすることと、
第２のピクチャの第２のＰＯＣ値を決定すること、ここにおいて、前記第１のピクチャおよび前記第２のピクチャが共通のビデオコーディングレイヤおよび共通のコード化ビデオシーケンスにある、と、
前記第１のＰＯＣ値と前記第２のＰＯＣ値との間の第１の差を決定することと、
デクリメントされた第２のＰＯＣ値と前記リセットされた第１のＰＯＣ値との間の第２の差が前記第１の差に等しいように前記第２のＰＯＣ値をデクリメントすることと、
前記リセットされた第１のＰＯＣ値および前記デクリメントされた第２のＰＯＣ値を使用して前記ビデオデータをコード化することと
を行うように構成されるビデオコーダと
を備える、ビデオデータをコード化するためのデバイス。
【請求項１９】
前記シンタックス要素の前記値は、前記第１のＰＯＣ値の前記一部を含むすべてのビットがゼロの前記値にリセットされるべきであるかどうかを示し、前記ビデオコーダは、前記第１のＰＯＣ値のすべてのビットがゼロの前記値にリセットされるべきであることを前記シンタックス要素の前記値が示すとき、リセットされた第１のＰＯＣ値のすべてのビットがゼロに等しくなるように前記第１のＰＯＣ値をリセットすることを行うようにさらに構成される、
請求項１８に記載のデバイス。
【請求項２０】
前記ビデオコーダは、前記第１のピクチャを第１のビデオコーディングレイヤに含み、第３のピクチャを第２のビデオコーディングレイヤに含むアクセスユニットをコード化することを行うように構成され、前記第１のビデオコーディングレイヤは、前記共通のビデオコーディングレイヤを備え、前記第２のビデオコーディングレイヤは、前記第１のビデオコーディングレイヤとは異なり、前記第１のＰＯＣ値をリセットする前には、前記第１のピクチャの前記第１のＰＯＣ値は、前記第３のピクチャの第３のＰＯＣ値とは異なる、
請求項１８に記載のデバイス。
【請求項２１】
前記第３のピクチャは、NoRaslOutputFlagシンタックス要素が１に等しいイントラランダムアクセスポイント（ＩＲＡＰ）ピクチャを備え、前記第１のピクチャは、非ＩＲＡＰピクチャを備える、
請求項２０に記載のデバイス。
【請求項２２】
前記アクセスユニットは、前記第１のビデオコーディングレイヤおよび前記第２のビデオコーディングレイヤとは異なる第３のビデオコーディングレイヤにおける第４のピクチャをさらに含み、前記リセットされた第１のＰＯＣ値を使用してビデオデータをコード化するために、前記ビデオコーダは、ブロックが前記リセットされた第１のＰＯＣ値の参照を含むとき、前記第１のピクチャに対するレイヤ間予測を使用して前記第４のピクチャの前記ブロックをコード化することを行うように構成される、
請求項２０に記載のデバイス。
【請求項２３】
前記シンタックス要素は、ＰＯＣリセットフラグを備える、
請求項１８に記載のデバイス。
【請求項２４】
前記ビデオコーダは、前記リセットされた第１のＰＯＣ値を使用して前記ビデオデータを復号するように構成されたビデオデコーダを備える、
請求項１８に記載のデバイス。
【請求項２５】
前記ビデオコーダは、前記リセットされた第１のＰＯＣ値を使用して前記ビデオデータを符号化するように構成されたビデオエンコーダを備える、
請求項１８に記載のデバイス。
【請求項２６】
前記デバイスが、
集積回路、
マイクロプロセッサ、および
ワイヤレス通信デバイス
のうちの少なくとも１つを備える、請求項１８に記載のデバイス。
【請求項２７】
ビデオデータをコード化するためのデバイスであって、
第１のピクチャの第１のピクチャオーダーカウント（ＰＯＣ）値の少なくとも一部がゼロの値にリセットされるべきであるかどうかを示すシンタックス要素の値をコード化するための手段と、
前記第１のＰＯＣ値の前記一部がゼロの前記値にリセットされるべきであることを前記シンタックス要素の前記値が示すとき、リセットされた第１のＰＯＣ値の前記一部がゼロに等しくなるように、前記第１のＰＯＣ値の少なくとも前記一部をリセットするための手段と、
前記第１のＰＯＣ値の前記一部がゼロの前記値にリセットされるべきであることを前記シンタックス要素が示すとき、第２のピクチャの第２のＰＯＣ値を決定するための手段、ここにおいて、前記第１のピクチャおよび前記第２のピクチャが、共通のビデオコーディングレイヤおよび共通のコード化ビデオシーケンスにある、と、
前記第１のＰＯＣ値と前記第２のＰＯＣ値との間の第１の差を決定するための手段と、
デクリメントされた第２のＰＯＣ値と前記リセットされた第１のＰＯＣ値との間の第２の差が前記第１の差に等しいように前記第２のＰＯＣ値をデクリメントするための手段と、
前記リセットされた第１のＰＯＣ値および前記デクリメントされた第２のＰＯＣ値を使用してビデオデータをコード化するための手段と
を備えるデバイス。
【請求項２８】
前記シンタックス要素の前記値は、前記第１のＰＯＣ値の前記一部を含むすべてのビットがゼロの前記値にリセットされるべきであるかどうかを示し、前記リセットするための手段は、前記第１のＰＯＣ値のすべてのビットがゼロの前記値にリセットされるべきであることを前記シンタックス要素の前記値が示すとき、リセットされた第１のＰＯＣ値のすべてのビットがゼロに等しくなるように前記第１のＰＯＣ値をリセットするための手段を備える、
請求項２７に記載のデバイス。
【請求項２９】
前記第１のピクチャを第１のビデオコーディングレイヤに含み、第３のピクチャを第２のビデオコーディングレイヤに含むアクセスユニットをコード化するための手段をさらに備え、前記第１のビデオコーディングレイヤは、前記共通のビデオコーディングレイヤを備え、前記第２のビデオコーディングレイヤは、前記第１のビデオコーディングレイヤとは異なり、前記第１のＰＯＣ値をリセットする前には、前記第１のピクチャの前記第１のＰＯＣ値は、前記第３のピクチャの第３のＰＯＣ値とは異なる、
請求項２７に記載のデバイス。
【請求項３０】
前記第３のピクチャは、NoRaslOutputFlagシンタックス要素が１に等しいイントラランダムアクセスポイント（ＩＲＡＰ）ピクチャを備え、前記第１のピクチャが、非ＩＲＡＰピクチャを備える、
請求項２９に記載のデバイス。
【請求項３１】
前記アクセスユニットは、前記第１のビデオコーディングレイヤおよび前記第２のビデオコーディングレイヤとは異なる第３のビデオコーディングレイヤにおける第４のピクチャをさらに含み、前記リセットされた第１のＰＯＣ値を使用してビデオデータを前記コード化するための手段は、ブロックが前記リセットされた第１のＰＯＣ値の参照を含むとき、前記第１のピクチャに対するレイヤ間予測を使用して前記第４のピクチャの前記ブロックをコード化するための手段を備える、
請求項２９に記載のデバイス。
【請求項３２】
前記シンタックス要素は、ＰＯＣリセットフラグを備える、
請求項２７に記載のデバイス。
【請求項３３】
命令を記憶したコンピュータ可読記憶媒体であって、前記命令が、実行されると、ビデオデータをコード化するためのデバイスのプロセッサに、
第１のピクチャの第１のピクチャオーダーカウント（ＰＯＣ）値の少なくとも一部がゼロの値にリセットされるべきであるかどうかを示すシンタックス要素の値をコード化することと、
前記第１のＰＯＣ値の前記一部がゼロの前記値にリセットされるべきであることを前記シンタックス要素の前記値が示すとき、
リセットされた第１のＰＯＣ値の前記一部がゼロに等しくなるように、前記第１のＰＯＣ値の少なくとも前記一部をリセットすることと、
第２のピクチャの第２のＰＯＣ値を決定すること、ここにおいて、前記第１のピクチャおよび前記第２のピクチャが共通のビデオコーディングレイヤおよび共通のコード化ビデオシーケンスにある、と、
前記第１のＰＯＣ値と前記第２のＰＯＣ値との間の第１の差を決定することと、
デクリメントされた第２のＰＯＣ値と前記リセットされた第１のＰＯＣ値との間の第２の差が前記第１の差に等しいように前記第２のＰＯＣ値をデクリメントすることと、
前記リセットされた第１のＰＯＣ値および前記デクリメントされた第２のＰＯＣ値を使用してビデオデータをコード化することと
を行わせる、コンピュータ可読記憶媒体。
【請求項３４】
前記シンタックス要素の前記値は、前記第１のＰＯＣ値の前記一部を含むすべてのビットがゼロの前記値にリセットされるべきであるかどうかを示し、前記プロセッサに、前記第１のＰＯＣ値のすべてのビットがゼロの前記値にリセットされるべきであることを前記シンタックス要素の前記値が示すとき、リセットされた第１のＰＯＣ値のすべてのビットがゼロに等しくなるように前記第１のＰＯＣ値をリセットすることを行わせる命令をさらに備える、
請求項３３に記載のコンピュータ可読記憶媒体。
【請求項３５】
前記プロセッサに、前記第１のピクチャを第１のビデオコーディングレイヤに含み、第３のピクチャを第２のビデオコーディングレイヤに含むアクセスユニットをコード化させる命令をさらに備え、前記第１のビデオコーディングレイヤは、前記共通のビデオコーディングレイヤを備え、前記第２のビデオコーディングレイヤは、前記第１のビデオコーディングレイヤとは異なり、前記第１のＰＯＣ値をリセットする前には、前記第１のピクチャの前記第１のＰＯＣ値は、前記第３のピクチャの第３のＰＯＣ値とは異なる、
請求項３３に記載のコンピュータ可読記憶媒体。
【請求項３６】
前記第３のピクチャは、NoRaslOutputFlagシンタックス要素が１に等しいイントラランダムアクセスポイント（ＩＲＡＰ）ピクチャを備え、前記第１のピクチャが、非ＩＲＡＰピクチャを備える、
請求項３５に記載のコンピュータ可読記憶媒体。
【請求項３７】
前記アクセスユニットは、前記第１のビデオコーディングレイヤおよび前記第２のビデオコーディングレイヤとは異なる第３のビデオコーディングレイヤにおける第４のピクチャをさらに含み、前記プロセッサに、前記リセットされた第１のＰＯＣ値を使用してビデオデータをコード化させる前記命令は、前記プロセッサに、ブロックが前記リセットされた第１のＰＯＣ値の参照を含むとき、前記第１のピクチャに対するレイヤ間予測を使用して前記第４のピクチャの前記ブロックをコード化することを行わせる命令を備える、
請求項３５に記載のコンピュータ可読記憶媒体。
【請求項３８】
前記シンタックス要素は、ＰＯＣリセットフラグを備える、
請求項３３に記載のコンピュータ可読記憶媒体。